(57)【要約】【課題】手袋を衛生的に着用しやすくする。【解決手段】手袋２００は、手首側を固定し、指先側が鉛直下方を向くように吊した状態で、挿入口から手を挿入して着用する手袋である。また、手袋２００は、掌形状が正面視できる状態で手袋２００を吊したときに、挿入口の縁部において、左右端における上端部Ｐｅ１，Ｐｅ２が、背面側部材２００Ｒの凸部２３０の最上部よりも低くなる形状を有している。背面側部材２００Ｒの凸部２３０の上方領域には、手袋２００を吊して固定するための固定部としての穴部２３０ｈ１，２３０ｈ２が設けられている。また、正面側部材２００Ｆの凸部２２０の上端部は、背面側部材２００Ｒの凸部２３０の上端部よりも低くなっている。【選択図】図２
2014218765.tif 000002
【特許請求の範囲】
【請求項１】
手袋であって、
該手袋は、手首側を固定し、指先側が鉛直下方を向くように吊した状態で、挿入口から手を挿入して着用する手袋であり、
掌形状が正面視できる状態で該手袋を吊したときに、前記挿入口の縁部は、左右端における上端部が該縁部の背面側の最上部よりも低くなる形状を有しており、
前記縁部の背面側の上方領域に、該手袋を吊して固定するための固定部が設けられている、
手袋。
【請求項２】
請求項１記載の手袋であって、
前記固定部と、前記左右端における上端部との距離は、閉じた状態の前記挿入口の最小幅の１／２よりも長い、
手袋。
【請求項３】
請求項１または２記載の手袋であって、
前記掌形状が正面視できる状態で該手袋を吊したときに、前記挿入口の縁部は、正面側の上端部が背面側の最上部よりも低くなる形状を有する、
手袋。
【請求項４】
請求項１ないし３のいずれかに記載の手袋であって、
前記掌形状が正面視できる状態で該手袋を吊したときに、前記挿入口の縁部において、前記左右端には、少なくとも前記正面側について、前記左右端の手首側の角部分を切り取り除去するように切欠部が設けられ、前記左右端以外の中央部には、前記手首側に張り出す凸部が形成されている、
手袋。
【請求項５】
請求項４記載の手袋であって、
前記切欠部および凸部の境界線は、前記凸部の上端と前記左右端における上端部とを滑らかに結ぶ直線および曲線の少なくとも一方である、
手袋。
【請求項６】
請求項３記載の手袋であって、
前記掌形状が正面視できる状態で該手袋を吊したときに、前記挿入口の縁部は、前記挿入口の幅方向全体にわたって、正面側の上端部が背面側の最上部よりも低くなる形状を有している、
手袋。
【請求項７】
請求項１ないし６のいずれかに記載の手袋であって、
前記縁部の背面側の上方領域に、前記吊るされた手袋を切り離しやすくするための切り離し構造を備える、
手袋。
【請求項８】
指先側が同じ方向を向くように、複数枚の手袋を同じ向きで重ねて積層した手袋積層体であって、
前記手袋は、請求項１ないし７のいずれかに記載された手袋である、
手袋積層体。
【請求項９】
手袋ディスペンサであって、
請求項８記載の手袋積層体と、
前記手袋における手首側を固定し、指先側が鉛直下方を向くように吊るした状態で、前記手袋積層体の背面を支持する支持板と、
を備える手袋ディスペンサ。
【請求項１０】
請求項９記載の手袋ディスペンサであって、
前記支持板は、前記吊るした状態で、前記手袋の正面側が凹となるように、鉛直軸周りに前記手袋を湾曲させて支持するための湾曲支持部を備える、
手袋ディスペンサ。
【請求項１１】
請求項９または１０記載の手袋ディスペンサであって、
使用前の前記手袋積層体を収納する収納箱を有し、
該収納箱の一部は、前記支持板として構成されており、
前記手袋積層体は、前記収納箱の一部に固定された状態で、前記収納箱に収納されており、
前記収納箱は、前記手袋積層体が露出するように、前記支持板以外の他の一部を除去可能な構造を有している、
手袋ディスペンサ。
【発明の詳細な説明】
【技術分野】
【０００１】
本発明は、手袋、手袋積層体、および、手袋ディスペンサに関するものである。
【背景技術】
【０００２】
医療・介護現場や、食品を取り扱う現場等では、衛生面を考慮して、使い捨て手袋が着用されることが多い。このような手袋は、頻繁に交換されるため、着脱が容易なことが求められる。そして、従来、手袋を着脱容易とするための種々の技術が提案されている。
【０００３】
例えば、下記特許文献１に記載された技術では、ポリ手袋の内側に、少なくとも一部を固定した糸を設け、この糸を手で引くことにより、ポリ手袋のフィルムの一部を切断等して、容易に外すことができるようにしている。
【先行技術文献】
【特許文献】
【０００４】
【特許文献１】特開２０１０−２４５５３号公報
【発明の概要】
【発明が解決しようとする課題】
【０００５】
しかし、上記特許文献１に記載された技術では、手袋の着用のしやすさについては、手袋のサイズを、手、指がスムースに入る様、少し大きめのサイズとする以外には考慮されていなかった。また、上記特許文献１に記載された技術では、手袋着用時の衛生面については、特段、考慮されていなかった。つまり、手袋着用時の衛生面や、手袋の着用のしやすさについては、改善の余地があった。
【０００６】
本発明は、上述の課題を解決するためになされたものであり、手袋を衛生的に着用しやすくする技術を提供することを目的とする。
【課題を解決するための手段】
【０００７】
上述の課題の少なくとも一部を解決するため、本発明では、以下の構成を採用した。
本発明の手袋は、
手首側を固定し、指先側が鉛直下方を向くように吊した状態で、挿入口から手を挿入して着用する手袋であり、
掌形状が正面視できる状態で該手袋を吊したときに、前記挿入口の縁部は、左右端における上端部が該縁部の背面側の最上部よりも低くなる形状を有しており、
前記縁部の背面側の上方領域に、該手袋を吊して固定するための固定部が設けられていることを特徴とする。
【０００８】
本発明において、「背面側」とは、手袋を正面視したときに陰となる面側を意味する。本発明の手袋は、正面側と背面側との２つの部材を貼り合わせて構成するようにしてもよいし、正面側の部材と背面側の部材とを一体的に構成するようにしてもよい。
また、本発明において、「左右端における上端部」とは、左右端において、正面側の部材と背面側の部材とが繋がっている部分の上端部を意味している。例えば、左右端において、手首側の縁部から鉛直下方に切れ込みを設ける場合には、この切れ込みの下端部が上記「左右端における上端部」となる。少なくとも正面側について、左右端の手首側の角部分を切り取り除去するように切欠部を設ける場合には、この切欠部の下端部が上記「左右端における上端部」となる。左右端において、背面側の上端部と正面側の上端部と間に上下方向の段差を設ける場合には、左右端における正面側の上端部が上記「左右端における上端部」となる。また、左右端に、上述した切れ込みや切欠部や段差を設けない場合には、挿入口の縁部の左右端がそのまま上記「左右端における上端部」となる。
また、本発明において、「固定部」とは、手袋を固定して吊るすための部位を意味している。「固定部」には、例えば、上記背面側の上方領域に、固定具を設けるようにしてもよいし、部屋の壁等に設けられたフック等に引っ掛けて固定するための穴部を設けるようにしてもよいし、面に貼り付けて固定するための固定しろを設けるようにしてもよい。「固定部」は、１つであってもよいし、複数であってもよい。
【０００９】
本発明の手袋は、手首側を固定し、指先側が鉛直下方を向くように吊した状態で、挿入口から手を挿入して着用する手袋である。そして、本発明の手袋では、上記左右端における上端部を挿入口の縁部の背面側の最上部よりも低くすることによって、上記固定部と、上記左右端における上端部との距離を比較的長くすることができる。このため、挿入口を開口させるときの、上記左右端における上端部の可動半径、自由度（ゆとり）を大きくし、挿入口の開口面積を大きくすることが可能となり、手袋を着用しやすくすることができる。したがって、手袋の掌部分や指部分に、手を触れることなく、片手で、手袋を衛生的に着用することができる。つまり、本発明によって、手袋を衛生的に着用しやすくすることができる。
本発明の手袋は、手袋の掌形状のサイズを、人の掌のサイズに対してゆとりを持たせたサイズ、すなわち、人の掌のサイズよりも少し大きめのサイズとすることが好ましい。こうすることによって、手袋の着脱をさらに容易にすることができる。
また、手袋の親指部の位置を一方の面（例えば、正面）側に偏らせることなく、掌形状を平面形状としてもよい。こうすることによって、複数枚の手袋を積層しやすくすることができる。また、右手にも左手にも着用することができる。手袋の親指の位置を一方の面（例えば正面）側に偏らせるようにし、右手用あるいは左手用の手袋としてもよい。
【００１０】
本発明の手袋において、
前記固定部と、前記左右端における上端部との距離は、閉じた状態の前記挿入口の最小幅の１／２よりも長いようにすることが好ましい。
【００１１】
手袋において、本発明における、上記左右端における上端部を挿入口の縁部の背面側の最上部よりも低くする構成を採用しない場合には、上記左右端における上端部の可動半径を大きくするために、固定部を、挿入口の幅方向の中央部１点に設定したとしても、固定部と上記左右端における上端部との距離は、せいぜい閉じた状態の挿入口の最小幅の１／２程度しか確保できない。一方、本発明の手袋では、上記左右端における上端部を挿入口の縁部の背面側の最上部よりも低くすることによって、固定部と上記左右端における上端部との距離を、閉じた状態の挿入口の最小幅の１／２よりも長く設定するようにすることができる。こうすることによって、挿入口を開口させるときの、上記左右端における上端部の可動半径、自由度を十分に大きく確保することができ、挿入口の開口面積を十分に大きくすることができる。
【００１２】
本発明の手袋において、
前記掌形状が正面視できる状態で該手袋を吊したときに、前記挿入口の縁部は、正面側の上端部が背面側の最上部よりも低くなる形状を有するようにすることが好ましい。
【００１３】
こうすることによって、上記背面側の最上部と正面側の上端部との間に上下方向の段差ができる。そして、この段差に指を引っ掛けて、挿入口を容易に開けることができる。
【００１４】
本発明の手袋において、
前記掌形状が正面視できる状態で該手袋を吊したときに、前記挿入口の縁部において、前記左右端には、少なくとも前記正面側について、前記左右端の手首側の角部分を切り取り除去するように切欠部が設けられ、前記左右端以外の中央部には、前記手首側に張り出す凸部が形成されているようにしてもよい。
【００１５】
こうすることによって、正面側の上記凸部が自重によって垂れ下がりやすくなるので、挿入口が自然と開口しやすくすることができる。
上記凸部は、手に着用した手袋を外すときに指でつまむためのつまみ部として利用することもできる。したがって、上記凸部は、手袋を外しやすくする効果も奏する。
また、本発明の手袋において、上記切欠部および凸部を正面側および背面側の双方に設ける態様を採用すれば、汚物処理用に用いる場合に、手袋を着用した手で汚物を握った状態で、手袋の表裏を反転させて外して、手袋の内部に汚物を収容し、上記凸部を、手袋の挿入口を縛って閉じるために利用することもできる。
【００１６】
上記手袋において、上記切欠部および凸部の形状は、任意に設定可能であり、例えば、上記切欠部と凸部との境界線を、上記凸部の上端部と上記左右端の上端部とを結ぶ折れ曲がった直線とすることも可能であるが、
前記切欠部および凸部の境界線は、前記凸部の上端部と前記左右端における上端部とを滑らかに結ぶ直線および曲線の少なくとも一方であることが好ましい。
【００１７】
上記切欠部と凸部との境界線を、上記凸部の上端部と上記左右端の上端部とを結ぶ折れ曲がった直線とした場合には、正面側の上記凸部が自重によって垂れ下がるときに、上記凸部だけが折れ曲がる可能性がある。
一方、上記切欠部と凸部との境界線を、上記凸部の上端部と上記左右端の上端部とを滑らかに結ぶ直線または曲線の少なくとも一方とすることによって、正面側の上記凸部が自重によって垂れ下がるときに、上記凸部だけが折れ曲がることを回避することができる。そして、上記凸部の上端部から上記左右端の上端部まで、滑らかに垂れ下がるようにして、挿入口が開口しやすくすることができる。
【００１８】
上述した挿入口の縁部が、正面側の上端部が背面側の最上部よりも低くなる形状を有する手袋において、
前記掌形状が正面視できる状態で該手袋を吊したときに、前記挿入口の縁部は、前記挿入口の幅方向全体にわたって、正面側の上端部が背面側の最上部よりも低くなる形状を有しているようにしてもよい。
【００１９】
こうすることによって、挿入口の幅方向のいずれの部位においても、上記背面側の最上部と正面側の上端部との間に上下方向の段差が形成されるので、この段差に指を引っ掛けて、挿入口を容易に開けることができる。
この態様において、上記正面側の上端部の形状は、任意に設定可能である。例えば、上記正面側の上端部の形状は、直線状としてもよいし、上に凸の曲線状としてもよいし、下に凸の曲線状としてもよいし、波形形状としてもよい。また、これらを組み合わせた形状としてもよい。
【００２０】
本発明の手袋において、
前記縁部の背面側の上方領域に、前記吊るされた手袋を切り離しやすくするための切り離し構造を備えるようにしてもよい。
【００２１】
こうすることによって、上記固定部によって吊るして固定されている手袋の挿入口に手を挿入して手袋を引っ張ることにより、固定されている手袋を容易に切り離すことができる。
上記切り離し構造としては、上記背面側の最上部の強度を部分的に弱める構造が挙げられる。このような構造としては、例えば、上記背面側の最上部に、引っ張り強度が低い材料を適用したり、部材の厚さを薄くしたり、ミシン目（連続した複数の小穴）等の穴部を設けたりする構造が挙げられる。
【００２２】
本発明は、手袋積層体の発明として構成することもできる。すなわち、
本発明の手袋積層体は、指先側が同じ方向を向くように、複数枚の手袋を同じ向きで重ねて積層した手袋積層体であって、
前記手袋は、上述したいずれかの手袋であることを特徴とする。
【００２３】
ここで、「重ねて積層」とは、複数枚の手袋を重ねて着用する状態の重ね合わせではなく、１の手袋の正面側に他の手袋の背面側を重ね合わせて積層することを意味する。
本発明の手袋積層体によって、手袋の着用ごとに手袋を吊るして固定するまでなく、手袋を着用しやすくすることができる。１人の手袋着用者が複数枚の手袋を連続的に重ねて着用するようにすることもできる。
医療・介護の現場では、手袋が頻繁に使い捨てられるため、本発明の手袋積層体は、手袋を容易に着用できる点で利便性が高い。また、予め複数枚の手袋を重ねて着用しておいて、適宜、外せるようにしたいという要望に応じることもできる。したがって、本発明の手袋積層体は、医療・介護用に特に有効である。
本発明の手袋積層体において、積層される手袋の形状は、すべて同一であってもよいし、少なくとも一部が異なっていてもよい。積層される手袋の形状が少なくとも一部で異なる態様としては、例えば、右手用の手袋と左手用の手袋とを交互に積層する態様や、積層する手袋のサイズを段階的に変化させる態様が挙げられる。
【００２４】
本発明は、手袋ディスペンサの発明として構成することもできる。すなわち、
本発明の手袋ディスペンサは、
上述した手袋積層体と、
前記手袋における手首側を固定し、指先側が鉛直下方を向くように吊るした状態で、前記手袋積層体の背面を支持する支持板と、
を備えることを特徴とする。
【００２５】
上述した手袋積層体を宙吊りにして手袋を着用する場合、前後方向に手袋がぶらぶらと揺れる状態では、着用しづらい。本発明の手袋ディスペンサでは、手袋積層体の背面を、上記支持板によって支持した状態で吊るすことができるので、机やワゴンの天板の側面等、手袋の背面を支持するために十分な面積の垂直面が確保されておらず、手袋ディスペンサが宙吊りとなる場所に吊るした場合でも、手袋を着用しやすくすることができる。つまり、手袋ディスペンサを吊り下げる場所によらず、手袋を着用しやすくすることができる。
【００２６】
本発明の手袋ディスペンサにおいて、
前記支持板は、前記吊るした状態で、前記手袋の正面側が凹となるように、鉛直軸周りに前記手袋を湾曲させて支持するための湾曲支持部を備えるようにすることが好ましい。
【００２７】
こうすることによって、手袋の挿入口を円筒状に開きやすくすることができる。したがって、さらに手袋を着用しやすくすることができる。
湾曲支持部としては、例えば、支持板の左右両端部に、正面側に突出する側壁や突起を設ける態様や、支持板自体が手袋を湾曲させた状態で支持する湾曲面を有する態様が挙げられる。
【００２８】
本発明の手袋ディスペンサにおいて、
使用前の前記手袋積層体を収納する収納箱を有し、
該収納箱の一部は、前記支持板として構成されており、
前記手袋積層体は、前記収納箱の一部に固定された状態で、前記収納箱に収納されており、
前記収納箱は、前記手袋積層体が露出するように、前記支持板以外の他の一部を除去可能な構造を有しているようにしてもよい。
【００２９】
こうすることによって、未使用の手袋積層体が収納された収納箱の一部を除去するだけで、簡易に、上記支持板を備える手袋ディスペンサを構成することができる。
【００３０】
本発明は、上述した種々の特徴を必ずしも全て備えている必要はなく、その一部を省略したり、適宜、組み合わせたりして構成することができる。例えば、上述した手袋ディスペンサ専用に用いられる支持板の発明として構成することもできる。また、本発明は、上述の手袋、手袋積層体、手袋ディスペンサとしての構成の他、手袋、手袋積層体、手袋ディスペンサの製造方法の発明として構成することもできる。なお、それぞれの態様において、先に示した種々の付加的要素を適用することが可能である。
【図面の簡単な説明】
【００３１】
【図１】本発明の一実施例としての手袋ディスペンサ３０の概略構成を示す説明図である。
【図２】手袋２００の概略構成を示す説明図である。
【図３】手袋ディスペンサ３０の製造工程を示す説明図である。
【図４】手袋ディスペンサ３０の使用態様を示す説明図である。
【図５】手袋ディスペンサ３０を用いて、手袋２０を着用する様子を示す説明図である。
【図６】実施例の効果を説明するための説明図である。
【図７】変形例としての手袋積層体２０Ａの挿入口近傍を示す説明図である。
【図８】変形例としての手袋２００Ａの概略構成を示す説明図である。
【図９】他の変形例としての手袋２００Ｂの概略構成を示す説明図である。
【図１０】他の変形例としての手袋２００Ｃの概略構成を示す説明図である。
【発明を実施するための形態】
【実施例】
【００３２】
以下、本発明の実施の形態について、実施例に基づき説明する。
Ａ．手袋ディスペンサの構成：
図１は、本発明の一実施例としての手袋ディスペンサ３０の概略構成を示す説明図である。本実施例の手袋ディスペンサ３０は、同一形状を有する複数枚（例えば、１００枚）の手袋２００を同じ向きで積層した手袋積層体２０を、立方体の収納箱１０に収納した形態で提供される。手袋２００は、ポリエチレン、ビニール等の樹脂製、あるいは、ゴム製とすることができる。
【００３３】
収納箱１０は、紙製であり、この収納箱１０には、図１（ａ）中に破線で示したように、収納箱１０のエッジ部分に沿って、ミシン目１２が設けられている。また、収納箱１０の底面部１８Ｂには、図１（ａ）中に破線で示したように、円弧形状のミシン目１２ｄが設けられている。このミシン目１２，１２ｄは、収納箱１０の一部、すなわち、収納箱１０の左右側面部の一部と、前面部と、上面部とを切り取り除去するために設けられている。ミシン目１２ｄは、切り取りのきっかけとなる。収納箱１０を他の材料を用いて作製し、他の構造によって、収納箱１０の一部を切り取り除去できるようにしてもよい。
【００３４】
ミシン目１２，１２ｄに沿って、収納箱１０の一部を切り取り除去すると、図１（ｂ）に示したように、収納箱の背面部１４と、一部の左側面部１８Ｌおよび右側面部１８Ｒと、底面部１８Ｂとが残され、手袋積層体２０が露出する。手袋積層体２０は、各手袋２００の指部分が折り畳まれた状態で、収納箱１０に収納されている。
【００３５】
手袋積層体２０は、各手袋２００の手首側の上方領域において、２つの固定具２２ａ，２２ｂによって、結束されている。本実施例では、固定具２２ａ，２２ｂとして、ハトメを用いるものとした。そして、これらの固定具２２ａ，２２ｂは、収納箱１０の背面部１４に固定されている。
【００３６】
収納箱１０の背面部１４には、部屋の壁等に設けられたフックに引っ掛けて、手袋２００の指先側が鉛直下方を向くように、手袋ディスペンサ３０を吊るすための穴部１４ｈが設けられている。この穴部１４ｈは、収納箱１０の背面部１４に設けられた円形状のミシン目１２ｈに沿って、背面部１４の一部を切り取ることによって形成される。
【００３７】
本実施例では、上述したように、固定具２２ａ，２２ｂとして、ハトメを用いるものとしたが、ピンや、クリップや、樹脂製あるいは金属製のワイヤ等を用いるものとしてもよい。また、本実施例では、手袋積層体２０を、２つの固定具２２ａ，２２ｂを用いて２箇所で結束して固定するものとしたが、１つの固定具を用いて１箇所で結束して固定するものとしてもよいし、３つ以上の固定具を用いて３箇所以上で結束して固定するものとしてもよい。
【００３８】
Ｂ．手袋の構成：
図２は、手袋２００の概略構成を示す説明図である。図２（ａ）に、手袋２００の正面図を示した。また、図２（ｂ）に、手袋２００の挿入口近傍を拡大して示した。
【００３９】
本実施例の手袋２００は、厚さが２０〜４０（μｍ）程度の２枚のポリエチレンフィルム、すなわち、正面側部材２００Ｆと背面側部材２００Ｒとを、略掌および手首上部の形状に裁断し、手首側の挿入口（符号省略）以外の周縁部（図２（ａ）において、曲線で描かれた部分）を熱溶着することによって作製されている。そして、本実施例の手袋２００は、手袋２００の親指部２００Ｔｈの位置を一方の面（例えば、正面）側に偏らせることなく、掌形状を平面形状としており、右手および左手のいずれにも着用することができる。また、手袋２００の掌形状のサイズは、手袋２００の着脱を容易にするために、人の掌のサイズに対してゆとりを持たせたサイズ、すなわち、人の掌のサイズよりも少し大きめのサイズとしている。
手袋２００の幅Ｗｇ、すなわち、親指部２００Ｔｈの端から小指部２００Ｌｆの端までの幅Ｗｇは、図１に示した収納箱１０の幅Ｗｃよりも広い。また、正面側部材２００Ｆ、および、背面側部材２００Ｒには、エンボス加工が施されており、すべりやベタつきが抑制されている。
【００４０】
図示するように、指先側を鉛直下方に向けた状態で手袋２００の掌形状を正面視したときに、挿入口の縁部の左右端には、フルカットによって、左右端の手首側の角部分を切り取り除去するように切欠部２００Ｌ，２００Ｒが設けられている。この切欠部２００Ｌ，２００Ｒによって、挿入口の縁部において、手袋２００の幅方向についての中央部には、手首側に張り出した凸部２２０，２３０が形成されている。凸部２２０は、正面側部材２００Ｆに形成されており、凸部２３０は、背面側部材２００Ｒに形成されている。そして、正面側部材２００Ｆの凸部２２０は、ハーフカットによって、最上部が切断されて除去されており、正面側部材２００Ｆの凸部２２０の高さＨｆは、背面側部材２００Ｒの凸部２３０の高さＨｒよりも低くなっている。換言すれば、正面側部材２００Ｆの上端部は、背面側部材２００Ｒの上端部よりも低くなっている。本実施例では、正面側部材２００Ｆの凸部２２０の高さＨｆを、背面側部材２００Ｒの凸部２３０の高さＨｒの約６０（％）とした。そして、正面側部材２００Ｆの上端部と背面側部材２００Ｒの上端部との間には、上下方向の段差（Ｈｒ−Ｈｆ）があり、背面側部材２００Ｒの凸部２３０の最上部は、正面側部材２００Ｆの凸部２２０の上端部から上方にはみ出して露出している。
また、本実施例では、背面側部材２００Ｒの凸部２３０の高さＨｒを、背面側部材２００Ｒの指先側端部から手首側端部までの長さＬｒの約２０（％）とした。また、背面側部材２００Ｒの凸部２３０の上端部の幅Ｗｈを、閉じた状態の挿入口の最小幅Ｗの約４０（％）とした。
【００４１】
背面側部材２００Ｒの凸部２３０の上方領域には、図１に示した固定具２２ａ，２２ｂによって、複数枚の手袋２００を結束して固定するための穴部２３０ｈ１，２３０ｈ２が設けられている。そして、挿入口の縁部の左右端における上端部Ｐｅ１，Ｐｅ２の位置は、穴部２３０ｈ１，２３０ｈ２よりも低くなっている。また、本実施例では、穴部２３０ｈ１から挿入口の縁部の左端における上端部Ｐｅ１までの距離Ｌ１、および、穴部２３０ｈ２から挿入口の縁部の右端における上端部Ｐｅ２までの距離Ｌ２が、閉じた状態の挿入口の最小幅Ｗの１／２以上となるように設計されている。穴部２３０ｈ１，２３０ｈ２は、本発明における固定部に相当する。また、穴部２３０ｈ１，２３０ｈ２は、背面側部材２００Ｒの凸部２３０の強度を部分的に弱める効果も奏するため、本発明における切り離し構造にも相当する。
【００４２】
Ｂ．手袋ディスペンサの製造工程：
図３は、手袋ディスペンサ３０の製造工程の一例を示す説明図である。ここでは、図１に示した、立方体の収納箱１０に手袋積層体２０を収納した形態の手袋ディスペンサ３０の製造工程について説明する。実際に手袋ディスペンサ３０を使用する際には、先に図１を用いて説明したように、ミシン目１２，１２ｄに沿って、収納箱１０の一部の切り取り除去を行う。
【００４３】
手袋ディスペンサ３０の製造工程では、まず、ポリエチレンフィルムからなる正面側部材２００Ｆと背面側部材２００Ｒとを重ねて、略掌および手首上部の形状に裁断すると同時に、挿入口以外の周縁部を熱溶着する（ステップＳ１００）。そして、フルカットによって、挿入口の縁部の左右端に、切欠部２００Ｌ，２００Ｒを形成する（ステップＳ１１０）。このとき、正面側部材２００Ｆには、凸部２２０が形成され、背面側部材２００Ｒには、凸部２３０が形成される。そして、正面側部材２００Ｆの凸部２２０の最上部をハーフカットして（ステップＳ１２０）除去する。すると、背面側部材２００Ｒの凸部２３０の上方領域が正面側部材２００Ｆの凸部２２０から露出する。そして、背面側部材２００Ｒの凸部２３０の上方領域に、穴部２３０ｈ１，２３０ｈ２を形成する（ステップＳ１３０）。以上の工程によって、手袋２００が完成する。
【００４４】
そして、指先側が同じ方向を向くように、所定枚数の手袋２００を同じ向きで重ねて積層し（ステップＳ１４０）、積層された手袋２００を、固定具２２ａ，２２ｂによって結束する（ステップＳ１５０）。以上の工程によって、手袋積層体２０が完成する。
上述した手袋積層体２０の製造工程において、各ステップの順序を適宜入れ替えたり、省略したりしてもよい。例えば、ステップＳ１００において、正面側部材２００Ｆ、および、背面側部材２００Ｒを、切欠部２００Ｌ，２００Ｒを有する形状に裁断するようにしてもよい。
【００４５】
そして、手袋積層体２０を、別途用意された収納箱１０に固定して（ステップＳ１６０）、収納する。以上の工程によって、手袋ディスペンサ３０が完成する。
実際に手袋ディスペンサ３０を使用する際には、先に説明したように、収納箱１０の一部の切り取り除去を行う。
【００４６】
Ｃ．手袋ディスペンサの使用態様：
図４は、手袋ディスペンサ３０の使用態様を示す説明図である。図示するように、手袋ディスペンサ３０は、収納箱１０の背面部１４に設けられた穴部１４ｈが、部屋の壁等に設けられたフック４０に引っ掛けられて、手袋２００の指先側が鉛直下方を向くように吊るされた状態で使用される。このとき、収納箱１０内で折り畳まれていた各指部（図１（ｂ））は、自重によって、自ずと広がる。そして、収納箱１０の背面部１４は、手袋積層体２０の背面を支持する。収納箱１０の背面部１４は、本発明における支持板に相当する。
本実施例の手袋ディスペンサ３０では、手袋２００における正面側部材２００Ｆの凸部２２０が、自重によって垂れ下がり、挿入口が自然と開口しやすくなっている。
また、本実施例の手袋ディスペンサ３０では、手袋積層体２０を、収納箱１０の背面部１４によって支持した状態で吊るすことができる。したがって、机やワゴンの天板の側面等、手袋２００の背面を支持するために十分な面積の垂直面が確保されておらず、手袋ディスペンサ３０が宙吊りとなる場所に吊るした場合でも、手袋２００を着用しやすくすることができる。つまり、手袋ディスペンサ３０を吊り下げる場所によらず、手袋２００を着用しやすくすることができる。
【００４７】
図１，２に示したように、手袋ディスペンサ３０において、手袋２００の幅Ｗｇは、収納箱１０の幅Ｗｃよりも広い。また、収納箱１０には、左側面部１８Ｌおよび右側面部１８Ｒが残されている。このため、収納箱１０の左側面部１８Ｌおよび右側面部１８Ｒは、手袋２００の親指部２００Ｔｈおよび小指部２００Ｌｆを、正面側に湾曲させて支持する。換言すれば、左側面部１８Ｌおよび右側面部１８Ｒは、手袋２００の正面側が凹となるように、鉛直軸周りに手袋２００を湾曲させて支持する。こうすることによって、手袋２００の挿入口が円筒状に開きやすくなっている。収納箱１０の左側面部１８Ｌおよび右側面部１８Ｒは、本発明における湾曲支持部に相当する。
収納箱１０の底面部１８Ｂは、左側面部１８Ｌおよび右側面部１８Ｒの変形を抑制する。
手袋ディスペンサ３０において、左側面部１８Ｌ、右側面部１８Ｒ、および、底面部１８Ｂの少なくとも１つは、省略するようにしてもよい。
【００４８】
図５は、手袋ディスペンサ３０を用いて、手袋２００を着用する様子を示す説明図である。ここでは、右手に手袋２００を着用する様子を示す。
図５（ａ）に示したように、手袋着用者は、手袋２００の挿入口に右手を挿入する。図示した例では、手袋ディスペンサ３０において、複数枚の手袋２００は、手袋２００の親指部２００Ｔｈが、正面視したときに左側に来るように積層されているので、右手の甲を手袋２００の背面側に向けて、手袋２００の挿入口に右手を挿入する。このとき、挿入口が閉じている場合には、正面側部材２００Ｆの凸部２２０と背面側部材２００Ｒの凸部２３０との間の上下方向の段差に指を引っ掛けて、挿入口を容易に開けることができる。
次に、図５（ｂ）に示したように、指を手袋２００の指部の先端まで挿入し、手袋２００を鉛直下方に引っ張る。すると、図５（ｃ）に示したように、手袋２００の背面側部材２００の凸部２３０が千切れて、手袋２００は、手袋ディスペンサ３０から切り離される。
先に説明したように、本実施例の手袋２００は、厚さが２０〜４０（μｍ）程度の薄いポリエチレンフィルムからなり、手袋２００の掌形状のサイズを、人の掌のサイズよりも少し大きめのサイズとしている。したがって、上述した一連の動作を複数回行えば、複数枚の手袋２００を重ねて装着することができる。
また、先に説明したように、本実施例の手袋２００は、手袋２００の親指部２００Ｔｈの位置を一方の面（例えば、正面）側に偏らせることなく、掌形状を平面形状としており、右手および左手のいずれにも着用することができる。したがって、本実施例の手袋ディスペンサ３０を用いて、左手の甲を手袋２００の正面側に向けて、手袋２００の挿入口に左手を挿入することにより、左手に手袋２００を着用することもできる。
【００４９】
Ｄ．実施例の効果：
図６は、実施例の手袋２００の効果を説明するための説明図である。ここでは、比較例の手袋２００Ｒと本実施例の手袋２００とを比較して、実施例の手袋２００の効果を説明する。図６（ａ）に、比較例の手袋２００Ｒの挿入口近傍を示した。また、図６（ｂ）に、実施例の手袋２００の挿入口近傍を示した。
【００５０】
比較例の手袋２００Ｒの材質や製造方法は、実施例の手袋２００とほぼ同じである。そして、図６（ａ）に示したように、比較例の手袋２００Ｒは、実施例の手袋２００における凸部２２０，２３０、および、切欠部２１０Ｌ，２１０Ｒが設けられていない点で実施例の手袋２００と異なっている。また、比較例の手袋２００Ｒでは、正面側部材２００Ｆの最上部における中央部に、手袋２００Ｒを吊り下げる穴部２００Ｒｈ１，２００Ｒｈ２を設けるための矩形形状の切欠部２４０が設けられている。そして、背面側部材２００Ｒの、切欠部２４０から露出した部分に、実施例の手袋２００における穴部２３０ｈ１，２３０ｈ２に対応する、固定部としての穴部２００Ｒｈ１，２００Ｒｈ２が設けられている。
【００５１】
比較例の手袋２００Ｒは、上述したように、実施例の手袋２００における凸部２２０，２３０、および、切欠部２１０Ｌ，２１０Ｒが設けられていないことにより、穴部２００Ｒｈ１から挿入口の縁部の左端における上端部Ｐｅｒ１までの距離Ｌｒ１、および、穴部２００Ｒｈ２から挿入口の縁部の右端における上端部Ｐｅｒ２までの距離Ｌ２が、閉じた状態の挿入口の最小幅Ｗの１／２よりも短くなっている。このため、比較例の手袋２００Ｒでは、挿入口の縁部の左右の上端部Ｐｅｒ１，Ｐｅｒ２は、穴部２００Ｒｈ１，２００Ｒｈ２からの距離Ｌｒ１，Ｌｒ２（＜（１／２）Ｗ）を半径とする範囲内でしか動かすことができない。
【００５２】
これに対し、本実施例の手袋２００では、図６（ｂ）に示したように、凸部２２０，２３０、および、切欠部２１０Ｌ，２１０Ｒが設けられているので、穴部２３０ｈ１から挿入口の縁部の左端における上端部Ｐｅ１までの距離Ｌ１、および、穴部２３０ｈ２から挿入口の縁部の右端における上端部Ｐｅ２までの距離Ｌ２は、それぞれ、比較例の手袋２００Ｒにおける上記距離Ｌｒ１および上記距離Ｌｒ２よりも長くなっている。このため、本実施例の手袋２００では、挿入口の縁部の左右の上端部Ｐｅ１，Ｐｅ２は、穴部２００ｈ１，２００ｈ２からの距離Ｌ１，Ｌ２（＞Ｌｒ１，Ｌｒ２）を半径とする範囲内で動かすことができる。したがって、比較例の手袋２００Ｒよりも挿入口を開口させるときの自由度（ゆとり）を大きくし、挿入口の開口面積を大きくすることができる。
【００５３】
さらに、本実施例の天袋２００では、先に説明したように、穴部２３０ｈ１から挿入口の縁部の左端における上端部Ｐｅ１までの距離Ｌ１、および、穴部２３０ｈ２から挿入口の縁部の右端における上端部Ｐｅ２までの距離Ｌ２は、閉じた状態の挿入口の最小幅Ｗの１／２以上となるように設計されている。こうすることによって、挿入口を開口させるときの自由度を十分に大きく確保することができ、挿入口の開口面積を十分に大きくすることができる。
【００５４】
以上説明した本実施例の手袋２００、手袋積層体２０、手袋ディスペンサ３０では、手袋２００は、手首側を固定し、指先側が鉛直下方を向くように吊した状態で、挿入口から手を挿入して着用する手袋である。そして、本実施例の手袋２００では、挿入口の縁部の形状を、上記左右端における上端部Ｐｅ１，Ｐｅ２が背面側部材２００Ｒの凸部２３０の最上部よりも低くなる形状とし、背面側部材２００Ｒの凸部２３０の上方領域に、手袋２００を吊るして固定するための穴部２３０Ｈ１，２３０ｈ２を設けることによって、穴部２３０Ｈ１，２３０ｈ２と、上記左右端における上端部Ｐｅ１，Ｐｅ２との距離Ｌ１，Ｌ２を比較的長くすることができる。このため、挿入口を開口させるときの自由度（ゆとり）を大きくし、挿入口の開口面積を大きくすることが可能となり、手袋２００を着用しやすくすることができる。したがって、手袋の掌部分や指部分に、手を触れることなく、片手で、手袋を衛生的に着用することができる。つまり、本実施例の手袋２００によって、手袋を衛生的に着用しやすくすることができる。
【００５５】
また、本実施例の手袋２００において、凸部２２０，２３０は、手袋２００を外すときに指でつまむためのつまみ部として利用することもできる。したがって、凸部２２０，２３０は、手袋２００を外しやすくする効果も奏する。
また、本実施例の手袋２００を汚物処理用に用いる場合に、手袋２００を着用した手で汚物を握った状態で、手袋２００の表裏を反転させて外して、手袋２００の内部に汚物を収容し、上記凸部２２０，２３０を、手袋２００の挿入口を縛って閉じるために利用することもできる。
【００５６】
Ｅ．変形例：
以上、本発明の実施の形態について説明したが、本発明はこのような実施の形態になんら限定されるものではなく、その要旨を逸脱しない範囲内において種々なる態様での実施が可能である。例えば、以下のような変形が可能である。
【００５７】
Ｄ１．変形例１：
図７は、変形例としての手袋積層体２０Ａ，２０Ｂの挿入口近傍を示す説明図である。変形例の手袋積層体２０Ａ，２０Ｂにおける各手袋の構成は、実施例の手袋積層体２０における手袋２００の構成とほぼ同じである。変形例の手袋積層体２０Ａ，２０Ｂは、各手袋の背面側部材２００Ｒにおける凸部２３０の最上部に、ミシン目２３０ｒが形成されている点で、実施例の手袋積層体２０と異なっている。
【００５８】
図７（ａ）に示したように、変形例の手袋積層体２０Ａにおける各手袋では、背面側部材２００Ｒの凸部２３０の上方領域における、固定具２２ａ，２２ｂから左右端にわたって、幅方向にミシン目２３０ｒが形成されている。
また、図７（ｂ）に示したように、変形例の手袋積層体２０Ｂにおける各手袋では、背面側部材２００Ｒの凸部２３０の上方領域における、固定具２２ａ，２２ｂから背面側部材２３０の凸部２３０の上端部までミシン目２３０ｒが形成されている。
このように、各手袋２０Ａ，２０Ｂにミシン目２３０ｒを形成することによって、固定具２２ａ，２２ｂによって吊るして固定されている手袋２０Ａ，２０Ｂの挿入口に手を挿入して、手袋２０Ａ，２０Ｂを鉛直下方に引っ張ることにより、固定されている手袋をさらに容易に切り離すことができる。このような背面側部材２００Ｒの凸部２３０の強度を部分的に弱める構造も、穴部２３０ｈ１，２３０ｈ２と同様に、本発明における切り離し構造に相当する。
切り離し構造としては、上述した構造の他に、例えば、背面側部材２００Ｒの凸部２３０の最上部に、引っ張り強度が低い材料を適用したり、部材の厚さを薄くしたりする構造が挙げられる。
【００５９】
Ｄ２．変形例２：
図８は、変形例としての手袋２００Ａの概略構成を示す説明図である。手袋２００Ａの構成は、実施例の手袋２００の構成とほぼ同じである。変形例の手袋２００Ａでは、挿入口の左右端に設けられた切欠部２１０ＬＡ，２１０ＲＡ、および、正面側部材２００ＦＡの凸部２２０Ａ、背面側部材２００ＲＡの凸部２３０Ａの形状が、実施例の手袋２００における切欠部２１０Ｌ，２２０Ｒ、および、凸部２２０，２３０の形状と異なっている。具体的には、変形例の手袋２００Ａでは、切欠部２１０ＬＡ，２１０ＲＡおよび凸部２２０Ａの境界線が、凸部２２０Ａの上端部と上記左右端における上端部Ｐｅ１，Ｐｅ２とを滑らかに結ぶ直線および曲線となっている。
【００６０】
上記実施例のように、切欠部２１０Ｌ，２１０Ｒと凸部２２０との境界線を、上記凸部２２０の上端部と上記左右端の上端部Ｐｅ１，Ｐｅ２とを結ぶ折れ曲がった直線とした場合、正面側部材２００Ｆの凸部２２０が自重によって垂れ下がるときに、凸部２２０だけが折れ曲がる可能性がある。
一方、変形例の手袋２００Ａのように、切欠部２１０ＬＡ，２１０ＲＡと凸部２２０Ａとの境界線を、凸部２２０Ａの上端部と上記左右端の上端部Ｐｅ１，Ｐｅ２とを滑らかに結ぶ直線および曲線とすることによって、正面側部材２００ＦＡの凸部２２０Ａが自重によって垂れ下がるときに、凸部２２０Ａの幅方向の全体が垂れ下がるので、さらに挿入口が開口しやすくなる。
【００６１】
Ｄ３．変形例３：
図９は、他の変形例としての手袋２００Ｂの概略構成を示す説明図である。この手袋２００Ｂの構成は、実施例の手袋２００における切欠部２１０Ｌ，２１０Ｒ、および、凸部２２０，２３０を備えていない点を除き、実施例の手袋２００の構成と同じである。そして、正面側部材２００ＦＢの指先側端部から手首側端部までの長さＬｆが、背面側部材２００ＲＢの指先側端部から手首側端部までの長さＬｒよりも短い。換言すれば、手袋２００Ｂは、挿入口の縁部が、正面側部材２００ＦＢの上端部が背面側部材２００ＲＢの最上部よりも低くなり、また、挿入口の幅方向全体にわたって、正面側部材２００ＲＢの上端部が背面側部材２００ＲＢの最上部よりも低くなる形状を有している。こうすることによっても、実施例の手袋２００と同様に、手袋を衛生的に着用しやすくすることができる。また、変形例の手袋２００Ｂでは、挿入口の幅方向のいずれの部位においても、背面側部材２００ＲＢの最上部と正面側部材２００ＦＢの上端部との間に段差が形成されるので、この段差に指を引っ掛けて、挿入口を容易に開けることができる。
この態様において、正面側部材２００ＦＢの上端部の形状は、任意に設定可能である。すなわち、正面側部材２００ＦＢの上端部の形状は、図９に示したように、直線状としてもよいし、図示は省略するが、上に凸の曲線状としてもよいし、下に凸の曲線状としてもよいし、波形形状としてもよい。また、これらを組み合わせた形状としてもよい。
【００６２】
Ｄ４．変形例４：
図１０は、他の変形例としての手袋２００Ｃの概略構成を示す説明図である。この手袋２００Ｃの構成は、実施例の手袋２００の構成の一部と、変形例の手袋２００Ｂの構成の一部とを組み合わせた構成を有している。具体的には、図示するように、手袋２００Ｃにおいて、正面側部材２００ＦＣには、実施例の手袋２００における切欠部２１０Ｌ，２１０Ｒ、および、凸部２２０に対応する切欠部２１０ＬＣ，２１０ＲＣ、および、凸部２２０Ｃが形成されている。一方、背面側部材２００ＲＣには、実施例の手袋２００における切欠部２１０Ｌ，２１０Ｒ、および、凸部２３０に対応する切欠部および凸部は形成されていない。手袋２００Ｃを、このような構成とすることによっても、実施例の手袋２００と同様に、手袋２００Ｃを衛生的に着用しやすくすることができる。
【００６３】
Ｄ５．変形例５：
上記実施例では、手袋２００は、正面側部材２００Ｆと背面側部材２００Ｒとを熱溶着することによって作製するものとしたが、本発明は、これに限られない。例えば、ディッピング法等により、正面側部材および背面側部材に相当する部分を一体的に形成するようにしてもよい。
【００６４】
Ｄ６．変形例６：
上記実施例では、手袋２００、手袋積層体２０、手袋ディスペンサ３０は、左右兼用であるものとしたが、本発明は、これに限られない。これらを左手用、右手用に区別するようにしてもよい。手首側を固定し、指先側が鉛直下方を向くように吊した状態で、挿入口から手を挿入して着用する手袋では、手の甲を手袋の正面側に向けて着用するよりも、手の甲を手袋の背面側に向けて着用した方が着用しやすいからである。
【００６５】
Ｄ７．変形例７：
上記実施例では、手袋積層体２０は、同一形状を有する複数枚の手袋２００を積層したものとしたが、本発明は、これに限られない。手袋積層体の一部において、積層する手袋のサイズを段階的に変化させるようにしてもよい。例えば、複数枚の手袋を積層したサブセットを複数セット積層することによって手袋積層体を構成するものとし、各サブセットにおいて、正面側から背面側に向かうにつれて、手袋のサイズが段階的に大きくなるようにしてもよい。こうすることによって、複数枚の手袋を重ねて手に着用する場合であっても、窮屈感なく着用することができる。
また、手袋積層体において、右手用手袋と、左手用手袋とを交互に積層するようにしてもよい。
【００６６】
Ｄ８．変形例８：
上記実施例では、手袋ディスペンサ３０において、収納箱１０の背面部１４を本発明における支持板としたが、本発明は、これに限られない。本発明における支持板として機能する他の治具を用意するようにしてもよい。この場合、湾曲支持部として、正面側に突出する側壁を設ける他に、突起を設けるようにしてもよい。また、支持板自体が手袋を湾曲させた状態で支持する湾曲面を有するようにしてもよい。
【産業上の利用可能性】
【００６７】
本発明は、手袋、手袋積層体、および、手袋ディスペンサに利用することができる。
【符号の説明】
【００６８】
１０…収納箱
１２，１２ｄ，１２ｈ…ミシン目
１４…背面部
１４ｈ…穴部
１８Ｌ…左側面部
１８Ｒ…右側面部
１８Ｂ…底面部
２０，２０Ａ，２０Ｂ…手袋積層体
２２ａ，２２ｂ…固定具
３０…手袋ディスペンサ
４０…フック
２００，２００Ｒ，２００Ａ，２００Ｂ，２００Ｃ…手袋
２００Ｆ，２００ＦＡ，２００ＦＢ，２００ＦＣ…正面側部材
２００Ｒ，２００ＲＡ，２００ＲＢ，２００ＲＣ…背面側部材
２００Ｒｈ１，２００Ｒｈ２…穴部
２００Ｔｈ…親指部
２００Ｌｆ…小指部
２１０Ｌ，２１０Ｒ…切欠部
２２０，２２０Ａ，２２０Ｃ，２３０，２３０Ａ…凸部
２３０ｈ１，２３０ｈ２…穴部
２３０ｒ…ミシン目
２４０…切欠部
【図１】
2014218765.tif 000003
【図２】
2014218765.tif 000004
【図３】
2014218765.tif 000005
【図４】
2014218765.tif 000006
【図５】
2014218765.tif 000007
【図６】
2014218765.tif 000008
【図７】
2014218765.tif 000009
【図８】
2014218765.tif 000010
【図９】
2014218765.tif 000011
【図１０】
2014218765.tif 000012